(57)【特許請求の範囲】
【請求項１】
簡易に着脱できる袴であって、
前記袴を腰部に固定する手段として２本の前紐と２本の後紐のみを備え、
正面側上部に角帯に相当する角帯部材と、十字形の結び目を模した装飾体を縫い付けて備えると共に、
前記２本の前紐はそれぞれ、前記装飾体から前記角帯部材の左右端を介してそのまま左右に延びた構成とした上で、これら２本の前紐には面ファスナやバックルといった部材を設けずに互いに結び合うことによって背面腰部で締結する構成とし、
更に、前記２本の後紐は、一方が他方に比べて２倍以上の長さとなるように左右非対称に構成した上で互いに面ファスナによって固定される
ことを特徴とする袴。
【請求項２】
請求項１において、
前記装飾体から前記角帯部材の左右端に向かってやや斜め上方を向いて配置される第１の紐様装飾体と、
当該第１の紐様装飾体よりも表面側に配置され、前記角帯部材の左右端を繋ぐように配置される第２の紐様装飾体と、を備え、
前記前紐は、前記第１及び第２の紐様装飾体よりも更に表面側に配置されている
ことを特徴とする袴。
【請求項３】
請求項１又は２において、
背面上部の内面には、リボン様の腰枕が予め装着されている
ことを特徴とする袴。
【発明の詳細な説明】
【技術分野】
【０００１】
本発明は、袴の技術分野に関し、特に詳しくは簡易に着脱できる袴に関するものである。
【背景技術】
【０００２】
従来から、袴の着脱を容易にするべく様々な工夫を凝らした袴が存在する。
【０００３】
例えば、特許文献１においては、角帯を締めたり、後紐を十字形に結ぶ作業を簡略化するべく、角帯に相当する部材や、十字形リボンを装飾的に予め縫い付けておくと共に、前紐の一部はゴム製とした上でバックルにより着脱し、後紐同士は面ファスナによって着脱する手法が採用されている。
【先行技術文献】
【特許文献】
【０００４】
【特許文献１】登録実用新案第３０２４１４４号公報
【発明の概要】
【発明が解決しようとする課題】
【０００５】
確かに、特許文献１のような構造の袴とすることによって、特に子供の場合など、着付師に頼らずに袴を履くことも可能となる。
【０００６】
しかしながら、特許文献１に記載の袴においては、前紐の一部をゴムとした上でバックルによって腰に固定するという構造を採用していることから、前面の十文字リボンから左右に伸びる紐（腰紐が巻いているように見える紐様の飾り）７（当該段落における符号は特許文献１における符号をそのまま利用している）と前紐９、９'とが分断されており、見た目の安物感が強調されてしまう。
【０００７】
当該部分は、袴を履いてしまえば隠れて見えなくなる部分ではあるものの、例えば貸衣装として利用する場合など多くの袴が並べられているような場面では目に入る部分であり、「安物感」「偽物感」が助長されてしまうという問題がある。
【０００８】
また、前紐の一部がゴム素材となっていてバックルにより装着するが、繰り返しの使用や経年変化によってゴム素材が伸びると、袴を十分に保持できる程度の締結力を発揮できない場面もあり、装着後時間の経過と共に袴がずれ落ち易いといった問題もあった。
【０００９】
そこで本発明は、こういった問題点を解決するべくなされたものであって、簡単に装着できる袴でありながらも「安物感」が助長されず、本来の袴に近い装着感を発揮でき、装着後もずれ落ちの少ない袴を提供する事をその課題としている。
【課題を解決するための手段】
【００１０】
上記課題を解決するべく、本願発明は、簡易に着脱できる袴であって、正面側上部に角帯に相当する角帯部材と、十字形の結び目を模した装飾体を縫い付けて備えると共に、２本の前紐は、それぞれ前記装飾体から前記角帯部材の左右端を介してそのまま左右に延びた構成とした上で、これら２本の前紐には面ファスナやバックルといった部材を設けずに互いに結び合うことで締結することを特徴とする。
【００１１】
このように構成したことによって、前紐が十字形の結び目を模した装飾体から「連続した一本の紐」として視覚的に把握されるため、見た目の高級感が増し安物感が助長され難い。更に、敢えてこの前紐同士はそのまま結んで互いに締結する手法を採用している。即ち、前紐同士の固定を面ファスナやバックルといった部材に頼っていない。これは袴の前紐と後紐の両方を面ファスナのような取付手段にしてしまうと腰にしっかりと装着できず、使用している間に袴がずれ落ちることを回避するためである。特に、装着時（袴を履くとき）に最初に結ぶ前紐側に敢えて面ファスナ等の代替手段を用いないことによって、腰回りにしっかりと装着でき、更に背面側の腰板部分をヘラを介して引っ掛ける際の基礎とすることができるため、後紐側を面ファスナ等の固定手段に頼ったとしても、袴全体をしっかりと腰に固定することが可能となっている。
【００１２】
また、前記装飾体から前記角帯部材の左右端に向かってやや斜め上方を向いて配置される第１の紐様装飾体と、当該第１の紐様装飾体よりも表面側に配置され、前記角帯部材の左右端を繋ぐように配置される第２の紐様装飾体と、を備え、前記前紐は、前記第１及び第２の紐様装飾体よりも更に表面側に配置されていることを特徴とする。
【００１３】
このように構成したことによって、装着時、腰紐が本当に腰に巻回しているように見せることができる。
【００１４】
また、背面上部の内面には、リボン様の腰枕が予め装着されていることを特徴とする袴。
【００１５】
これも、袴を装着してしまうと見えなくなってしまう部分ではあるものの、袴を選択する場面等においては視覚的に把握される部分であり、安物感を助長しない工夫の１つである。もちろん、本来の角帯を結んだ形状に近いので、袴を装着した際の背面腰部の膨らみ方もより本来に近いものとなっている。
【発明の効果】
【００１６】
本発明を適用することで、簡単に装着できる袴でありながらも「安物感」が助長されず、本来の袴に近い装着感を発揮でき、装着後もずれ落ちの少ない袴を提供することができる。
【図面の簡単な説明】
【００１７】
【図１】本発明の実施形態の一例である袴の斜視図である。
【図２】同袴の、正面図である。
【図３】同袴の、正面側上部拡大図である。
【図４】同袴の、正面側上部の内面拡大図である。
【図５】同袴の、背面図である。
【図６】同袴の、背面側上部の内面拡大図である。
【発明を実施するための形態】
【００１８】
以下、添付図面を参照しつつ、本発明の実施形態の一例である袴１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈袴の構成〉
図１に示している通り、本発明の実施形態の一例として示した袴１００は、簡易に着脱できる袴であって、正面１１０側上部に角帯に相当する角帯部材１１４と、十字形の結び目を模した装飾体１１２を縫い付けて備えると共に、２本の前紐１１６は、それぞれこの装飾体１１２から角帯部材１１４の左右端を介してそのまま左右に延びて構成されている。更にこれら２本の前紐１１６には面ファスナやバックルといった部材（別途の固定手段）を設けず敢えて紐のままの構成とされている。
【００２０】
角帯部材１１４の表面側には、十字形の結び目を模した装飾体１１２から角帯部材１１４の左右端に向かってやや斜め上方を向いて配置される第１の紐様装飾体１１５と、当該第１の紐様装飾体１１５よりも表面側に配置され、角帯部材１１４の左右端を繋ぐように配置される第２の紐様装飾体１１３と、を備える。前紐１１６は、これら第１及び第２の紐様装飾体１１５、１１３よりも更に表面側に配置されている（図３参照）。なお、第２の紐様装飾体１１３の表面には、面ファスナ１３０ｂが備わっている。
【００２１】
また、背面１２０側の上部には、腰板１２２が備わっている。当該腰板１２２の内側には、リボン形状の腰枕１２４が縫い付けて取り付けられている。また、当該腰枕１２４の上方にはヘラ１２６が備わっている。
【００２２】
腰板１２２の左右には相対的に短く構成された第１の後紐１２７と、長く構成された第２の後紐１２８が備わっている。第１の後紐１２７の表面側には面ファスナ１３２ｂが備わっている（図５参照）。同様に、第２の後紐１２８の内面側には２つの面ファスナ１３０ａ、１３２ａが備わっている（図１、図６参照）。
【００２３】
〈袴の装着手順〉
上着（長襦袢、着物など）を着た後で、袴１００に足を入れ、高さを調整する。その後、２本の前紐１１６を後に回して腰部分で結んで固定する。通常は、これに先立って角帯を締めるが、本発明の実施形態の一例として示す袴１００には、角帯部材１１４が備わっているため、角帯を締める作業は省略される。
【００２４】
そして、前紐１１６の結び目（背面腰部に位置している）の上部に、背面１２０の腰板１２２内側に備わるヘラ１２６を差し込むようにして引っ掛けて固定した上で、第２の後紐１２８を前側に回すように面ファスナで固定する。この時、第２の後紐１２８に備わる面ファスナ１３０ａは、正面側角帯部材１１４上にある第２の紐様装飾体１１３の更に上に配置される面ファスナ１３０ｂと面接触して固定される。もう一つの面ファスナ１３２ａは、第１の後紐１２７の表面側に備わる面ファスナ１３２ｂと面接触して固定される。
【００２５】
このように、本発明にかかる袴１００の装着は非常に簡易である。特に、角帯を別途結ぶ必要もないし、後紐を十字形に結ぶ作業も必要ないため、袴を履き慣れない者であっても十分に且つ迅速に着付けが可能である。
【００２６】
上記説明した通り、本願発明は、簡易に着脱できる袴１００であって、正面１１０側上部に角帯に相当する角帯部材１１４と、十字形の結び目を模した装飾体１１２を縫い付けて備えると共に、２本の前紐１１６は、それぞれ装飾体１１２から角帯部材１１４の左右端を介してそのまま左右に延びた構成とした上で、これら２本の前紐１１６には面ファスナやバックルといった部材を設けずに互いに結び合うことで締結する構成となっている。
【００２７】
このように構成したことによって、前紐１１６が十字形の結び目を模した装飾体１１２から「連続した一本の紐」として視覚的に把握されるため、見た目の高級感が増し安物感が助長され難い。更に、敢えてこの前紐１１６同士はそのまま結んで互いに締結する手法を採用している。即ち、前紐１１６同士の固定を面ファスナやバックルといった部材に頼っていない。これは前紐と後紐の両方を面ファスナのような取付手段にしてしまうと腰にしっかりと装着できず、使用している間に袴がずれ落ちることを回避するためである。特に、装着時に最初に結ぶ前紐１１６側に敢えて面ファスナ等の代替手段を用いないことによって、腰回りにしっかりと装着でき、更に背面側の腰板１２２部分をヘラ１２６を介して引っ掛ける際の基礎とすることができるため、後紐１２７、１２８側を面ファスナ等の固定手段に頼ったとしても、袴１００全体をしっかりと腰に固定することが可能となっている。
【００２８】
また、装飾体１１２から角帯部材１１４の左右端に向かってやや斜め上方を向いて配置される第１の紐様装飾体１１５と、当該第１の紐様装飾体１１５よりも表面側に配置され、角帯部材１１４の左右端を繋ぐように配置される第２の紐様装飾体１１３と、を備え、前紐１１６は、これら第１及び第２の紐様装飾体１１３、１１５よりも更に表面側に配置されているので、装着時、腰紐が本当に腰に巻回しているように見せることが可能となっている。
【００２９】
また、背面１２０上部の内面には、リボン様の腰枕１２４が予め装着されている。当該部分は袴１００を装着してしまうと見えなくなってしまう部分ではあるものの、袴１００を選択する場面等においては視覚的に把握される部分であり、安物感を助長しない役割を発揮する。もちろん、本来の角帯を結んだ形状に近いので、袴１００を装着した際の背面腰部の膨らみ方もより本来に近いものとなっている。
【符号の説明】
【００３０】
１００・・・袴
１１０・・・正面
１１２・・・（十字形）装飾体
１１３・・・第２の紐様装飾体
１１４・・・角帯部材
１１５・・・第１の紐様装飾体
１１６・・・前紐
１２０・・・背面
１２２・・・腰板
１２４・・・腰枕
１２６・・・ヘラ
１２７・・・第１の後紐
１２８・・・第２の後紐
１３０ａ、１３０ｂ・・・第１の面ファスナ
１３２ａ、１３２ｂ・・・第２の面ファスナ
【要約】
【課題】
簡単に装着できる袴でありながらも「安物感」が助長されず、本来の袴に近い装着感を発揮でき、装着後もずれ落ちの少ない袴を提供する。
【解決手段】
袴１００の正面側上部に角帯に相当する角帯部材１１４と、十字形の結び目を模した装飾体１１２を縫い付けて備えると共に、２本の前紐１１６は、それぞれ装飾体１１２から角帯部材１１４の左右端を介してそのまま左右に延びた構成とした上で、これら２本の前紐１１６には面ファスナやバックルといった部材を設けずに互いに結び合うことで締結する。
【選択図】図１【図１】
0006883366.tif 000002
【図２】
0006883366.tif 000003
【図３】
0006883366.tif 000004
【図４】
0006883366.tif 000005
【図５】
0006883366.tif 000006
【図６】
0006883366.tif 000007